(57)【要約】      （修正有）【課題】資源保存と自然環境と電力の確保を計る横波発電システムを提供する。【解決手段】波の発生しやすい場所に、貨車３を陸から海上まで往復自在にし、貨車に油圧式上下装置を取り付けて、ピストン６を作動して波受け板１１を海上から海底までの往復自在にし、波受け板１１の支軸を海上側に設定し、波受け板は水中に設定し波の横移動により波受け板をスライドさせ波受け板に伴いスライド棒９とロット１２を連動させ同時に永久磁石１３とコイル１４を逆方向に移動させて発電をする様に構成されている、海岸に打ち寄せる波と打ち寄せた波が逆流する波を利用する横波発電システム。【選択図】図１
2010025096.tif 000002
【特許請求の範囲】
【請求項１】
波の発生しやすい場所に、レール付きのバー（１）二本を陸（２）から海上に伸ばし、レールとレールの間の巾を広くし、レールの上に運転可能な貨車（３）を載せ、水位に応じて該貨車（３）を移動させた後に、油圧式固定及び固定解除機（４）で該貨車（３）を該バー（１）に固定と解除可能にする、該貨車（３）の荷台の中央部を取り除き、該貨車（３）の内側の両サイドに二基を一対として油圧式上下装置のシリンダ（５）を固定し、両方のピストン（６）の先端に横板（７）を取り付け、該横板（７）の左右にスライド棒（８）とスライド棒（９）を軸ピン（１０）で留め、該スライド棒をスライド自在にし、浮力の有る木材及びプラスチック、金属等を浮力製品に加工した波受け板（１１）を両サイドの該スライド棒（９）で支える、上下装置のピストン（６）により該波受け板（１１）を海上から海底までの移動可能にし、該ピストン（６）によりスライド板の支軸は海上側に設定する、ロット（１２）に永久磁石（１３）を付け、該永久磁石（１３）の回りをコイル（１４）で囲んで、該コイル（１４）をロット（１２）に付け、両方のロットを該スライド棒（８）と該スライド棒（９）に連結をし、波の横移動により該波受け板（１１）をスライドさせ該波受け板（１１）に伴いスライド棒とロットを連動させ同時に永久磁石とコイルを逆方向に移動させて発電をする様に構成されている、海岸に打ち寄せる波と打ち寄せた波が逆流した横波を利用した横波発電システム。
【請求項２】
波の発生しやすい場所に、レール付きのバー（１）二本を陸（２）から海上に伸ばし、レールとレールの間の巾を広くし、レールの上に運転可能な貨車（３）を載せ、水位に応じて該貨車（３）を移動させた後に、油圧式固定及び固定解除機（４）で該貨車（３）を該バー（１）を固定と解除を可能にする、該貨車（３）の荷台の中央部を取り除き、該貨車（３）の内側の両サイドに二基を一対として油圧式上下装置のシリンダ（５）を固定し、両サイドのピストン（６）の先端に軸受け（１５）付きの錘（１７）を付けて海底（１８）から海上までの移動自在にし、該ピストン（６）を伸ばして波受け板（１６）の支軸を海底側に設定する、該波受け板（１６）の４角に軸ピン（１０）を取り付け、該波受け板（１６）の下部の該軸ピン（１０）を該軸受け（１５）に浸入させて、該軸ピン（１０）を支軸として該波受け板（１６）を横波でスライドをさせる、上部の該軸ピン（１０）を溝付きスライド棒（２０）の溝に侵入させて該軸ピン（１０）をスライド自在にし、該スライド棒（１９）とスライド棒（２０）を軸ピンで該貨車（３）に留めスライド自在にし、ロット（１２）に永久磁石（１３）を取り付け、該永久磁石（１３）の回りをコイル（１４）で囲んで、該コイル（１４）をロット（１２）に取り付ける、両方のロットを該スライド棒（１９）と該溝付きスライド棒（２０）に連結し、波の横移動により該波受け板（１６）をスライドさせ該波受け板（１６）に伴いスライド棒とロットを連動させ同時に永久磁石とコイルを逆方向に移動させて発電をする様に構成されている、海岸に打ち寄せる波と打ち寄せた波が逆流した横波を利用した横波発電システム。
【発明の詳細な説明】
【技術分野】
【０００１】本発明は、電力生産を目標とする横波発電システムに関するものである。
【背景技術】
【０００２】従来の火力発電は、石油価格の暴騰によりコスト高である。原子力発電は、放射能の漏れの危険性あり、現在は地震により破壊されて操業停止状態である。太陽光発電は、パネルの生産に大量の資源と大量の動力が消費される、消費者の負担も大である。家庭用燃料電池は、ガスは有限であるから未来は消滅する、製品が大きくて部屋の空間を狭くする。【０００３】本発明は、自然（波力）エネルギーなので経済的である。地球上には波力は無限に存在する。日本国は海に囲まれているので利用度が絶大である。
【発明の開示】
【発明が解決しょうとする課題】
【０００４】本発明は、上記の問題点に鑑み資源保存と電力生産を計る、横波発電システムを提供せんとするものである。
【課題を解決するための手段】
【０００５】請求項１、レール付きのバー二本を陸から海上に伸ばし、レールの上に運転可能な貨車を載せ、水位に応じて貨車を移動させた後に、油圧式固定及び固定解除機で貨車をバーに固定と解除を可能にし、貨車の内側の両サイドに油圧式上下装置のシリンダを固定し、両方のピストンの先端に横板を取り付け、横板の左右にスライド棒を軸ピンで留め、スライド棒をスライド自在にし、浮力の有る波受け板を両サイドのスライド棒で支える、上下装置のピストンにより波受け板を海上から海底までの移動自在にする、ピストンにより波受け板の支軸は海上側に設定する、ロットに永久磁石を付け、永久磁石の回りにコイルを囲んで、コイルをロットに付け、両方のロットをスライド棒とスライド棒に連結し、波の横移動により波受け板をスライドさせ波受け板に伴いスライド棒とロットを連動させ同時に永久磁石とコイルを逆方向に移動させる。
請求項２、両サイドのピストンに錘を付けて海底から海上までの移動自在にし、ピストンを伸ばして海底側に波受け板を設定する、波受け板の４角に軸ピンを取り付け、波受け板の下部の軸ピンを軸受けに浸入させて、軸ピンを支軸として波受け板を横波でスライドをさせる、上部の軸ピンを溝付きスライド棒の溝に侵入させて軸ピンと溝付きスライド棒をスライド自在にし、スライド棒を軸ピンで貨車に留めスライド自在にし、ロットに永久磁石を付け永久磁石の回りにコイルを囲んで、コイルをロットに付け、両方のロットを両方のスライド棒に連結をし、波の横移動により波受け板をスライドさせ波受け板に伴いスライド棒とロットを連動させ同時に永久磁石とコイルを逆方向に移動させる。
【発明の効果】
【０００６】本発明は、自然（波力）エネルギーにより燃料が不必要なので経済効果が抜群である。
【発明を実施するための最良の形態】
【０００７】石油の暴騰で各方面に大打撃を与えているので本発明を必要とする、地球上は海の面積が広大なので本発明の設置が容易である。
【実施１】
干潮時は、ピストンを作動して波受け板を海上まで上げ、固定及び固定解除機で貨車をバーから切り離し貨車を沖方向に移動し貨車をバーに固定し、ピストンを作動して波受け板の位置を設定する、波受け板が横波でスライドしスライド棒とロットと永久磁石とコイルに連動し、永久磁石とコイルが逆方向に作動をして発電される、満潮時は、ピストンを作動して波受け板を海上まで上げ、固定及び固定解除機で貨車をバーから切り離し貨車を陸方向に移動し貨車をバーに固定し、ピストンを作動して波受け板の位置を設定する、水位に応じて上記の操作を繰返す、台風時は、波受け板を海上まで上げて貨車を陸上に固定する。
【産業上の利用可能性】
【０００８】
【０００９】現社会は電化時代であるので今後ますます電力の需要が拡大するので各産業界から必然的に求められる。
【図面の簡単な説明】
【００１０】
【図１】貨車の回りの外枠を省略し、横波で波受け板（１１）と波受け板（１６）が陸方向に傾いた状態を示した正面図である。
【図２】両サイドのピストンで波受け板（１６）と錘を支えている状態を示した側面図である。
【符号の説明】
【００１１】１・・バー                    ９・・スライド棒      １７・錘
２・・陸                      １０・軸ピン          １８・海底
３・・貨車                    １１・波受け板        １９・スライド棒
４・・固定及び固定解除機      １２・ロット          ２０・溝付きスライド棒
５・・シリンダ                １３・永久磁石        ２１・水面
６・・ピストン                １４・コイル
７・・横板                    １５・軸受け
８・・スライド棒              １６・波受け板
【図１】
2010025096.tif 000003
【図２】
2010025096.tif 000004